(57)【要約】【課題】プリンタドライバにおける特定の設定項目が特定の設定内容に固定されることに起因して当該プリンタドライバにおいて利用できなくなる設定内容を、プリンタドライバの使用前にも把握することが可能な技術を提供する。【解決手段】情報処理装置は、固定化指示受付部と検出部と表示制御部とを備える。固定化指示受付部は、プリンタドライバにおける特定の設定項目（「印刷種類」）を特定の設定内容（「両面」）に固定化する固定化指示を受け付ける。検出部は、当該特定の設定項目とは異なる設定項目（「原稿サイズ」等）に係る設定内容であって当該特定の設定内容（「両面」）との間で禁則関係を生じる設定内容（「Ａ６」等）を対応禁則設定内容ＫＳとして検出する。表示制御部は、対応禁則設定内容ＫＳを含む禁則確認用画面ＧＢを表示して当該対応禁則設定内容ＫＳを操作者に報知する。【選択図】図５
2014021687.tif 000002
【特許請求の範囲】
【請求項１】
プリンタドライバをカスタマイズするプログラムであって、
ａ）前記プリンタドライバにおける特定の設定項目を特定の設定内容に固定化する固定化指示を操作者による操作入力を介して受け付けるステップと、
ｂ）前記特定の設定項目とは異なる設定項目に係る設定内容であって前記特定の設定内容との間で禁則関係を生じる設定内容を、前記固定化指示に伴って発生する対応禁則設定内容として検出するステップと、
ｃ）前記ステップｂ）で検出された前記対応禁則設定内容を前記操作者に報知するステップと、
をコンピュータに実行させるためのプログラム。
【請求項２】
請求項１に記載のプログラムにおいて、
前記ステップａ）は、
ａ−１）前記プリンタドライバにおける第１の設定項目を第１の設定内容に固定化する第１の固定化指示と前記プリンタドライバにおける第２の設定項目を第２の設定内容に固定化する第２の固定化指示とを受け付けるステップ、
を有し、
前記ステップｂ）は、
ｂ−１）前記第１の設定項目とは異なる設定項目に係る設定内容であって、前記第１の設定内容との間で禁則関係を生じる設定内容を、第１の対応禁則設定内容として検出するステップと、
ｂ−２）前記第２の設定項目とは異なる設定項目に係る設定内容であって、前記第２の設定内容との間で禁則関係を生じる設定内容を、第２の対応禁則設定内容として検出するステップと、
を有し、
前記ステップｃ）は、
ｃ−１）前記第１の対応禁則設定内容と前記第２の対応禁則設定内容とを並べて表示する画面を、前記操作者に提示するステップ、
を有することを特徴とするプログラム。
【請求項３】
請求項２に記載のプログラムにおいて、
前記ステップｃ−１）において、前記第１の対応禁則設定内容と前記第２の対応禁則設定内容との両者に係る複数の設定内容のうち、前記両者に共通する共通設定内容と前記両者に共通しない固有設定内容とが互いに異なる態様で表示されることを特徴とするプログラム。
【請求項４】
請求項３に記載のプログラムにおいて、
前記ステップｃ−１）において、前記共通設定内容と前記固有設定内容とが互いに異なる色で表示されることを特徴とするプログラム。
【請求項５】
請求項１に記載のプログラムにおいて、
前記ステップｃ）は、前記ステップｂ）で検出された前記対応禁則設定内容を示す所定の画面を表示するステップ、
を有し、
前記所定の画面は、前記対応禁則設定内容と前記固定化指示の内容とを関連付けて表示する画面であることを特徴とするプログラム。
【請求項６】
請求項１に記載のプログラムにおいて、
前記ステップｃ）は、前記ステップｂ）で検出された前記対応禁則設定内容を示す所定の画面を表示するステップ、
を有し、
前記所定の画面は、第１のメッセージをカスタマイズ後の前記プリンタドライバの設定画面内に表示するか否かに関するユーザ指示を受け付ける第１の指示領域を有し、
前記第１のメッセージは、前記特定の設定項目の設定内容に関して管理者による利用制限がなされている旨を示すメッセージであることを特徴とするプログラム。
【請求項７】
請求項１に記載のプログラムにおいて、
前記ステップｃ）は、前記ステップｂ）で検出された前記対応禁則設定内容を示す所定の画面を表示するステップ、
を有し、
前記所定の画面は、カスタマイズ後の前記プリンタドライバの設定画面内にて前記対応禁則設定内容が設定されようとする際における第２のメッセージの表示の有無に関するユーザ指示を受け付ける第２の指示領域を有し、
前記第２のメッセージは、前記対応禁則設定内容を利用可能にするための設定内容が管理者により利用制限されている旨を示すメッセージであることを特徴とするプログラム。
【請求項８】
プリンタドライバをカスタマイズする情報処理装置であって、
前記プリンタドライバにおける特定の設定項目を特定の設定内容に固定化する固定化指示を操作者による操作入力を介して受け付ける受付手段と、
前記特定の設定項目とは異なる設定項目に係る設定内容であって前記特定の設定内容との間で禁則関係を生じる設定内容を、前記固定化指示に伴って発生する対応禁則設定内容として検出する検出手段と、
前記検出手段により検出された前記対応禁則設定内容を前記操作者に報知する報知手段と、
を備えることを特徴とする情報処理装置。
【請求項９】
請求項８に記載の情報処理装置において、
前記受付手段は、前記プリンタドライバにおける第１の設定項目を第１の設定内容に固定化する第１の固定化指示と前記プリンタドライバにおける第２の設定項目を第２の設定内容に固定化する第２の固定化指示とを受け付け、
前記検出手段は、
前記第１の設定項目とは異なる設定項目に係る設定内容であって、前記第１の設定内容との間で禁則関係を生じる設定内容を、第１の対応禁則設定内容として検出するとともに、
前記第２の設定項目とは異なる設定項目に係る設定内容であって、前記第２の設定内容との間で禁則関係を生じる設定内容を、第２の対応禁則設定内容として検出し、
前記報知手段は、前記第１の対応禁則設定内容と前記第２の対応禁則設定内容とを並べて表示する画面を、前記操作者に提示することを特徴とする情報処理装置。
【請求項１０】
請求項９に記載の情報処理装置において、
前記報知手段は、前記第１の対応禁則設定内容と前記第２の対応禁則設定内容との両者に係る複数の設定内容のうち、前記両者に共通する共通設定内容と前記両者に共通しない固有設定内容とを互いに異なる態様で表示する画面を、前記操作者に提示することを特徴とする情報処理装置。
【発明の詳細な説明】
【技術分野】
【０００１】
本発明は、プリンタドライバをカスタマイズするプログラムおよびそれに関連する技術に関する。
【背景技術】
【０００２】
プリンタドライバの中には、管理者によるカスタマイズが可能なものが存在する。たとえば、特許文献１には、プリンタドライバをカスタマイズするプログラム（カスタマイズプログラムとも称する）を用いて、プリンタドライバにおける一部の設定項目の設定内容を固定化する技術が記載されている。詳細には、管理者からの操作入力に応じて、特定の設定項目（たとえば「印刷種類」）を特定の設定内容（たとえば「両面印刷」）に固定する（換言すれば、特定の設定項目を特定の設定内容以外の設定内容に変更できなくする）技術が記載されている。たとえば、プリンタドライバにおける設定項目「印刷種類」が「両面印刷」に固定されることによれば、画像形成装置における印刷処理が常に「両面印刷」で実行されるため、印刷にかかる用紙等のコストを削減することが可能である。
【０００３】
一方で、異なる設定項目に関する複数の設定内容の相互間においては、機能制限および／または装置仕様等に起因して、組み合わせて設定できない設定内容（以下、禁則設定または禁則条件とも称する）が存在する。すなわち、複数の設定内容に関して組み合わせ禁止に係る禁則条件が存在する。
【０００４】
このため、プリンタドライバにおける特定の設定項目が特定の設定内容に固定された場合、当該特定の設定内容との間で禁則関係を生じる設定内容が存在し得る。たとえば、設定項目「印刷種類」が「両面印刷」に固定される場合には、比較的小さなサイズの用紙（たとえば「Ａ６」サイズの用紙）を利用することができなくなり、設定項目「用紙サイズ」の設定内容「Ａ６」等が禁則設定として発生する。
【０００５】
これに対して、上述の特許文献１には、プリンタドライバにおいて、禁則処理により利用できなくなる設定内容（禁則条件を有する設定内容）に対応する選択肢をグレーアウトする（無効化する）技術が記載されている。すなわち、特許文献１には、固定化指示が受け付けられた特定の設定項目に係る特定の設定内容との間で禁則関係を生じる設定内容を、プリンタドライバの設定画面で選択できないようにする技術が記載されている。
【先行技術文献】
【特許文献】
【０００６】
【特許文献１】特開２０１０−０４０００２号公報
【発明の概要】
【発明が解決しようとする課題】
【０００７】
ところで、上記のように管理者がプリンタドライバをカスタマイズする状況においては、当該管理者は、特定の設定項目が特定の設定内容に固定化されることに起因して禁則関係を生じる設定内容（特定の設定項目とは別の設定項目に関する設定内容）を把握しておくことが好ましい。すなわち、管理者は、固定化指示に伴ってプリンタドライバで利用できなくなる設定内容を、把握しておくことが好ましい。
【０００８】
しかしながら、上記特許文献１の技術が用いられる場合には、通常、管理者が上述のカスタマイズプログラムを用いてプリンタドライバをカスタマイズした後、カスタマイズ後のプリンタドライバがその利用者に配布される。そして、当該利用者が当該プリンタドライバを使用する段階に到達した際にようやく、固定化処理（カスタマイズ処理）に伴って利用できなくなる設定内容の存在を当該プリンタドライバの利用者が知得するに至る。換言すれば、プリンタドライバをカスタマイズした管理者等は、固定化処理に伴い利用できなくなる設定内容をプリンタドライバの使用前の段階において把握することはできない。
【０００９】
そこで、この発明の課題は、プリンタドライバにおける特定の設定項目が特定の設定内容に固定されることに起因して当該プリンタドライバにおいて利用できなくなる設定内容を、プリンタドライバの使用前にも把握することが可能な技術を提供することにある。
【課題を解決するための手段】
【００１０】
上記課題を解決すべく、請求項１の発明は、プリンタドライバをカスタマイズするプログラムであって、ａ）前記プリンタドライバにおける特定の設定項目を特定の設定内容に固定化する固定化指示を操作者による操作入力を介して受け付けるステップと、ｂ）前記特定の設定項目とは異なる設定項目に係る設定内容であって前記特定の設定内容との間で禁則関係を生じる設定内容を、前記固定化指示に伴って発生する対応禁則設定内容として検出するステップと、ｃ）前記ステップｂ）で検出された前記対応禁則設定内容を前記操作者に提示するステップと、をコンピュータに実行させるためのプログラムであることを特徴とする。
【００１１】
請求項２の発明は、請求項１の発明に係るプログラムにおいて、前記ステップａ）は、ａ−１）前記プリンタドライバにおける第１の設定項目を第１の設定内容に固定化する第１の固定化指示と前記プリンタドライバにおける第２の設定項目を第２の設定内容に固定化する第２の固定化指示とを受け付けるステップ、を有し、前記ステップｂ）は、ｂ−１）前記第１の設定項目とは異なる設定項目に係る設定内容であって、前記第１の設定内容との間で禁則関係を生じる設定内容を、第１の対応禁則設定内容として検出するステップと、ｂ−２）前記第２の設定項目とは異なる設定項目に係る設定内容であって、前記第２の設定内容との間で禁則関係を生じる設定内容を、第２の対応禁則設定内容として検出するステップと、を有し、前記ステップｃ）は、ｃ−１）前記第１の対応禁則設定内容と前記第２の対応禁則設定内容とを並べて表示する画面を、前記操作者に提示するステップ、を有することを特徴とする。
【００１２】
請求項３の発明は、請求項２の発明に係るプログラムにおいて、前記ステップｃ−１）において、前記第１の対応禁則設定内容と前記第２の対応禁則設定内容との両者に係る複数の設定内容のうち、前記両者に共通する共通設定内容と前記両者に共通しない固有設定内容とが互いに異なる態様で表示されることを特徴とする。
【００１３】
請求項４の発明は、請求項３の発明に係るプログラムにおいて、前記ステップｃ−１）において、前記共通設定内容と前記固有設定内容とが互いに異なる色で表示されることを特徴とする。
【００１４】
請求項５の発明は、請求項１の発明に係るプログラムにおいて、前記ステップｃ）は、前記ステップｂ）で検出された前記対応禁則設定内容を示す所定の画面を表示するステップ、を有し、前記所定の画面は、前記対応禁則設定内容と前記固定化指示の内容とを関連付けて表示する画面であることを特徴とする。
【００１５】
請求項６の発明は、請求項１の発明に係るプログラムにおいて、前記ステップｃ）は、前記ステップｂ）で検出された前記対応禁則設定内容を示す所定の画面を表示するステップ、を有し、前記所定の画面は、第１のメッセージをカスタマイズ後の前記プリンタドライバの設定画面内に表示するか否かに関するユーザ指示を受け付ける第１の指示領域を有し、前記第１のメッセージは、前記特定の設定項目の設定内容に関して管理者による利用制限がなされている旨を示すメッセージであることを特徴とする。
【００１６】
請求項７の発明は、請求項１の発明に係るプログラムにおいて、前記ステップｃ）は、前記ステップｂ）で検出された前記対応禁則設定内容を示す所定の画面を表示するステップ、を有し、前記所定の画面は、カスタマイズ後の前記プリンタドライバの設定画面内にて前記対応禁則設定内容が設定されようとする際における第２のメッセージの表示の有無に関するユーザ指示を受け付ける第２の指示領域を有し、前記第２のメッセージは、前記対応禁則設定内容を利用可能にするための設定内容が管理者により利用制限されている旨を示すメッセージであることを特徴とする。
【００１７】
請求項８の発明は、プリンタドライバをカスタマイズする情報処理装置であって、前記プリンタドライバにおける特定の設定項目を特定の設定内容に固定化する固定化指示を操作者による操作入力を介して受け付ける受付手段と、前記特定の設定項目とは異なる設定項目に係る設定内容であって前記特定の設定内容との間で禁則関係を生じる設定内容を、前記固定化指示に伴って発生する対応禁則設定内容として検出する検出手段と、前記検出手段により検出された前記対応禁則設定内容を前記操作者に報知する報知手段と、を備えることを特徴とする。
【００１８】
請求項９の発明は、請求項８の発明に係る情報処理装置において、前記受付手段は、前記プリンタドライバにおける第１の設定項目を第１の設定内容に固定化する第１の固定化指示と前記プリンタドライバにおける第２の設定項目を第２の設定内容に固定化する第２の固定化指示とを受け付け、前記検出手段は、前記第１の設定項目とは異なる設定項目に係る設定内容であって、前記第１の設定内容との間で禁則関係を生じる設定内容を、第１の対応禁則設定内容として検出するとともに、前記第２の設定項目とは異なる設定項目に係る設定内容であって、前記第２の設定内容との間で禁則関係を生じる設定内容を、第２の対応禁則設定内容として検出し、前記報知手段は、前記第１の対応禁則設定内容と前記第２の対応禁則設定内容とを並べて表示する画面を、前記操作者に提示することを特徴とする。
【００１９】
請求項１０の発明は、請求項９の発明に係る情報処理装置において、前記報知手段は、前記第１の対応禁則設定内容と前記第２の対応禁則設定内容との両者に係る複数の設定内容のうち、前記両者に共通する共通設定内容と前記両者に共通しない固有設定内容とを互いに異なる態様で表示する画面を、前記操作者に提示することを特徴とする。
【発明の効果】
【００２０】
請求項１ないし請求項１０に記載の発明によれば、特定の設定項目を特定の設定内容に固定化する固定化指示に伴って発生する禁則設定内容であって当該特定の設定内容に対応する禁則設定内容である対応禁則設定内容が検出され操作者に報知される。したがって、プリンタドライバにおける特定の設定項目が特定の設定内容に固定されることに起因して当該プリンタドライバにおいて利用できなくなる設定内容を、プリンタドライバの使用前にも操作者が把握することが可能である。
【００２１】
また、請求項２または請求項９に記載の発明によれば、第１の対応禁則設定内容と第２の対応禁則設定内容とを並べて表示する画面が操作者に提示されるので、管理者は、第１の対応禁則設定内容と第２の対応禁則設定内容とを対比することが可能である。
【００２２】
また特に、請求項３または請求項１０に記載の発明によれば、第１の対応禁則設定内容と第２の対応禁則設定内容との両者に係る複数の設定内容のうち、当該両者に共通する共通設定内容と当該両者に共通しない固有設定内容とが互いに異なる態様で表示されるので、複数の設定内容における固有設定内容を容易に把握することができる。
【図面の簡単な説明】
【００２３】
【図１】プリントシステムの概略構成を示す図である。
【図２】管理者用コンピュータの機能的構成を示すブロック図である。
【図３】管理者用コンピュータの動作を示すフローチャートである。
【図４】ＧＵＩ固定化設定画面を示す図である。
【図５】禁則確認用画面を示す図である。
【図６】プリンタドライバ画面を示す図である。
【図７】プリンタドライバ画面を示す図である。
【図８】メッセージ画面を示す図である。
【図９】メッセージ画面を示す図である。
【図１０】禁則確認用画面を示す図である。
【発明を実施するための形態】
【００２４】
以下、本発明の実施形態を図面に基づいて説明する。
【００２５】
＜１．システム構成概略＞
図１は、印刷装置１０とクライアントコンピュータ３０（３０Ａ，３０Ｂ，３０Ｃ，３０Ｄ）と管理者用コンピュータ５０とを備えるプリントシステム１００の構成を示す概略図である。印刷装置１０は、ネットワークＮＷを介してクライアントコンピュータ３０に接続されており、当該クライアントコンピュータ３０との間でデータの送受信が可能である。また、クライアントコンピュータ３０は、ネットワークＮＷを介して管理者用コンピュータ５０に接続されており、当該管理者用コンピュータ５０との間でデータの送受信が可能である。なお、ネットワークＮＷは、ＬＡＮ（Local Area Network）およびインターネットなどの各種のネットワークを含む。
【００２６】
印刷装置１０は、クライアントコンピュータ３０からのプリントジョブを実行するプリンタとして機能する。具体的には、クライアントコンピュータ３０は、当該クライアントコンピュータ３０にインストールされているプリンタドライバ（ソフトウエアプログラム）ＰＤ等を介して、印刷装置１０に対してプリントジョブを送信する。一方、印刷装置１０は、クライアントコンピュータ３０から送信されてきたプリントジョブを受信し、当該プリントジョブを実行する。これによって、印刷装置１０による印刷出力処理が実行される。
【００２７】
また、管理者用コンピュータ５０は、プリンタドライバＰＤの管理者（以下、管理者ＳＵとも称する）によって利用されるコンピュータ（情報処理装置）である。管理者用コンピュータ５０においては、プリンタドライバＰＤをカスタマイズする制御プログラム（プリンタドライバ制御プログラムあるいはカスタマイズ用プログラムとも称する）ＰＧ１（後述）がインストールされている。管理者用コンピュータ５０は、当該カスタマイズ用プログラムＰＧ１を用いて、プリンタドライバＰＤ（詳細には、そのＧＵＩ（グラフィカル・ユーザ・インターフェイス（Graphical User Interface））、より詳細には印刷設定画面等）に関するカスタマイズ処理を実行する。そして、管理者用コンピュータ５０は、カスタマイズ処理が施された最新のプリンタドライバＰＤをクライアントコンピュータ３０に配布（送信）する。一方、クライアントコンピュータ３０は、管理者用コンピュータ５０から送信されてきた最新のプリンタドライバＰＤをインストールし、当該プリンタドライバＰＤを用いて印刷設定動作等を実行する。
【００２８】
図２は、管理者用コンピュータ５０の機能的構成を示すブロック図である。
【００２９】
管理者用コンピュータ５０は、いわゆるパーソナルコンピュータとして構成される。
【００３０】
管理者用コンピュータ５０は、入出力部５６を備えている。入出力部５６は、管理者用コンピュータ５０に対する操作入力を受け付ける操作入力部５６ａと、各種情報の表示出力を行う表示部５６ｂとを有している。たとえば、操作入力部５６ａとしてはキーボードおよびマウス等が設けられ、表示部５６ｂとしては液晶表示装置等が設けられる。
【００３１】
また、管理者用コンピュータ５０は、ＣＰＵおよび半導体メモリ等を備えている。管理者用コンピュータ５０は、そのＣＰＵにおいて、上記のプリンタドライバ制御プログラムＰＧ１を実行することによって、各種の処理部を実現する。具体的には、図２に示されるように、管理者用コンピュータ５０は、固定化指示受付部９１、検出部９３、禁則確認用画面生成部９５および表示制御部９７等の各種の処理部を実現する。
【００３２】
固定化指示受付部９１は、当該プリンタドライバＰＤにおける特定の設定項目を特定の設定内容に固定化する固定化指示を管理者ＳＵによる操作入力を介して受け付ける処理部である。換言すれば、固定化指示受付部９１は、プリンタドライバＰＤにおける特定の設定項目を特定の設定内容以外の設定内容に設定変更できなくする指示を固定化指示として受け付ける。
【００３３】
検出部９３は、固定化指示受付部９１により特定の設定内容に固定化された特定の設定項目とは異なる設定項目に係る設定内容であって、当該特定の設定内容との間で禁則関係を生じる設定内容ＫＳを検出する処理部である。ここで、禁則関係とは、異なる設定項目に関する複数の設定内容の相互間において、機能制限および／または装置仕様等に起因して組み合わせて設定できない関係（状況）をいう。禁則関係としては、設定項目「印刷種類」に係る設定内容「両面」と設定項目「原稿サイズ」に係る設定内容「Ａ６」との組み合わせ等が挙げられる。
【００３４】
検出部９３により検出される設定内容ＫＳは、特定の設定項目を特定の設定内容に固定化する固定化指示に伴って発生する禁則設定内容であって当該特定の設定内容に対応する禁則設定内容であり、「対応禁則設定内容」ＫＳとも表現される。
【００３５】
禁則確認用画面生成部９５は、禁則確認用画面ＧＢを生成する処理部である。禁則確認用画面ＧＢは、検出部９３により検出された対応禁則設定内容ＫＳを表示する画面である。
【００３６】
表示制御部９７は、管理者用コンピュータ５０の表示部５６ｂにおける表示動作を制御する。たとえば、表示制御部９７は、禁則確認用画面ＧＢ（図５参照）等を管理者用コンピュータ５０の表示部５６ｂに表示して管理者ＳＵに提示（報知）する動作を制御する。
【００３７】
＜２．動作＞
図３は、管理者用コンピュータ５０の動作を示すフローチャートである。以下では、図３を参照しつつ、管理者用コンピュータ５０の動作について説明する。
【００３８】
プリンタドライバ制御プログラムＰＧ１に対する実行指示が受け付けられると、管理者用コンピュータ５０は、当該プリンタドライバ制御プログラムＰＧ１を起動し（ステップＳ１１でＹＥＳ）、図４に示すＧＵＩ固定化設定画面ＧＡを表示部５６ｂに表示する（ステップＳ１２）。管理者ＳＵは、このＧＵＩ固定化設定画面ＧＡを用いて、所望の設定項目に関する固定化指示を管理者用コンピュータ５０に対して付与する。
【００３９】
ＧＵＩ固定化設定画面ＧＡは、プリンタドライバＰＤ（詳細には、プリンタドライバＰＤのＧＵＩ（プリンタドライバ画面））における特定の設定項目を特定の設定内容に固定化する固定化指示を受け付ける画面である。図４に示すように、ＧＵＩ固定化設定画面ＧＡは、複数のタブ画面ＴＢ１〜ＴＢ７を備えて構成される。
【００４０】
各タブ画面ＴＢには、所定の基準に従って複数のタブに分類された所定の設定項目ＳＴ、および当該所定の設定項目に関する設定内容ＳＮ等が表示される。たとえば、図４に示すタブ画面ＴＢ２には、「レイアウト」タブに分類された複数の設定項目ＳＴ１〜ＳＴ８等が表示されている。また、タブ画面ＴＢ２には、設定項目ＳＴ７に関する設定内容ＳＮ７１〜ＳＮ７３、および設定項目ＳＴ８に関するＳＮ８１〜ＳＮ８４等も表示されている。
【００４１】
また、各タブ画面ＴＢは、各設定項目を所望の設定内容に固定化する固定化指示を入力するためのプルダウンメニューＰＭを有しており、当該プルダウンメニューＰＭは「固定化する（グレーアウト）」と「なし」とを選択項目（選択肢）として備えている。管理者用コンピュータ５０は、当該プルダウンメニューＰＭを介して、特定の設定項目を特定の設定内容に固定化する固定化指示を受け付ける。なお、前者の「固定化する（グレーアウト）」は、固定化を行う旨を示す選択肢であり、後者の「なし」は、固定化を行わない旨を示す選択肢である。
【００４２】
具体的には、図４に示すタブ画面ＴＢ２においては、設定項目ＳＴ７（「印刷種類」）に関して３つの設定内容ＳＮ７１〜ＳＮ７３が列挙されており、これらの設定内容ＳＮ７１〜ＳＮ７３のそれぞれについてプルダウンメニューＰＭが設けられている。操作者（管理者等）が、設定内容ＳＮ７１〜ＳＮ７３の中から所望の設定内容を選択し、且つ、当該設定内容に対応するプルダウンメニューＰＭにて「固定する（グレーアウト）」を選択すると、管理者用コンピュータ５０は、当該設定内容による固定化指示が受け付けられた旨を判定する。たとえば、設定内容ＳＮ７２（「両面」）のプルダウンメニューＰＭにて「固定する（グレーアウト）」が選択されると、管理者用コンピュータ５０は、設定項目ＳＴ７（「印刷種類」）を設定内容ＳＮ７２（「両面」）に固定化する固定化指示が受け付けられた旨を判定する。
【００４３】
なお、設定項目ＳＴ８に関しても同様にして固定化指示が付与される。また、ここでは、各設定項目ＳＴ１〜ＳＴ６に関しては、「オン（有効）」と「オフ（無効）」とのうちのいずれかの値が設定内容として設定される。デフォルト状態では、「オフ（無効）」の値が設定される。一方、複数の設定項目ＳＴ１〜ＳＴ６のうちのいずれかの設定項目のプルダウンメニューＰＭにおいて、「固定する（グレーアウト）」が選択されると、当該設定項目を設定内容「オン（有効）」に固定化する固定化指示、が受け付けられたものとみなされる。たとえば、仮に、設定項目ＳＴ５「白紙抑制」のプルダウンメニューＰＭにおいて「固定する（グレーアウト）」が選択されると、設定項目ＳＴ５「白紙抑制」を設定内容「オン（有効）」に固定化する固定化指示が受け付けられたものとみなされる。この結果、無用な白紙が出力されにくい印刷設定「白紙抑制」の利用が各プリンタドライバにおいて強制される。これにより、コスト抑制を図ることができる。
【００４４】
ここでは、タブ画面ＴＢ２（図４参照）を介して設定項目「印刷種類」を設定内容「両面」に固定化する固定化指示とともに、タブ画面ＴＢ５（不図示）を介して設定項目「コピーセキュリティ」を設定内容「コピープロテクト」に固定化する固定化指示が受け付けられているものとする。
【００４５】
また、図４に示すように、各タブ画面ＴＢは、複数のボタンＢＮ１，ＢＮ２，ＢＮ３を有している。
【００４６】
ボタンＢＮ１は、上述のプルダウンメニューＰＭを介して受け付けられた固定化指示の内容を確定するためのボタン（確定ボタン）である。当該ボタンＢＮ１が押下されると、当該固定化指示内容に基づき、プリンタドライバ画面（カスタマイズ処理が施されたプリンタドライバ画面）の表示用データが生成される。当該表示用データには、固定化指示内容等が含まれる。そして、当該表示用データに基づきカスタマイズ処理後のプリンタドライバ画面ＧＣにおいては、設定項目「印刷種類」が設定内容「両面」に固定化されるとともに、設定項目「コピーセキュリティ」が設定内容「コピープロテクト」に固定化される。そして、カスタマイズ処理後のプリンタドライバ画面ＧＣにおいては、固定化された設定内容は淡色表示（グレーアウト表示）され、当該設定内容を変更することはできない。たとえば、図６に示すように、カスタマイズ処理後のプリンタドライバ画面ＧＣにおいては、印刷種類に係る設定内容「両面」（図４のＧＵＩ固定化設定画面ＧＡを用いて固定化された設定内容）は淡色表示（グレーアウト表示）される。同様に、コピーセキュリティに係る設定内容「コピープロテクト」も、カスタマイズ処理後のプリンタドライバ画面ＧＣにおいては淡色表示（グレーアウト表示）される。
【００４７】
ボタンＢＮ２は、上述のプルダウンメニューを介して受け付けられた固定化指示の内容をキャンセルするためのボタン（キャンセルボタン）である。当該ボタンＢＮ２が押下されると、固定化指示の内容がプリンタドライバ画面に反映されずに、当該固定化指示が破棄される。
【００４８】
ボタンＢＮ３は、後述の禁則確認用画面ＧＢ（図５参照）に対する表示指示を受け付けるためのボタンである。
【００４９】
このボタンＢＮ３が押下されると、禁則確認用画面ＧＢ（後述）を表示する表示指示が受け付けられたと判定され（図３のステップＳ１３で「ＹＥＳ」と判定され）、管理者用コンピュータ５０は、図３のステップＳ１４以降の処理を実行する。
【００５０】
ステップＳ１４においては、検出部９３は、上述の固定化指示に伴って発生する禁則設定内容（対応禁則設定内容）ＫＳを検出する。具体的には、検出部９３は、固定化指示が受け付けられた特定の設定項目とは異なる設定項目に係る設定内容であって当該特定の設定項目に関する特定の設定内容との間で禁則関係を生じる設定内容を、対応禁則設定内容ＫＳとして検出する。端的に言えば、固定化対象の設定内容との間に禁則関係を生じる設定内容が、対応禁則設定内容ＫＳとして検出される。
【００５１】
ここでは、検出部９３は、設定項目「印刷種類」に係る設定内容「両面」との間で禁則関係を生じる別の設定項目（「原稿サイズ」、「用紙種類」）に係る設定内容を対応禁則設定内容ＫＳ１として検出する。換言すれば、検出部９３は、設定項目「印刷種類」とは異なる設定項目に係る設定内容であって当該設定項目「印刷種類」に関する設定内容「両面」との間で禁則関係を生じる設定内容を、対応禁則設定内容ＫＳ１として検出する。すなわち、設定項目「印刷種類」の設定内容「両面」に対する対応禁則設定内容ＫＳ１が検出される。
【００５２】
具体的には、検出部９３は、或る設定項目「印刷種類」の設定内容「両面」に対する対応禁則設定内容ＫＳ１（ＫＳ１１）として、別の設定項目「原稿サイズ」の設定内容「Ａ６」、「Ｂ６」等を検出する。また、検出部９３は、或る設定項目「印刷種類」の設定内容「両面」に対する対応禁則設定内容ＫＳ１（ＫＳ１２）として、さらに別の設定項目「用紙種類」の設定内容「ＯＨＰ」、「封筒」等をも検出する。このように、固定化対象の設定内容「両面」との間に禁則関係を生じる設定内容（「Ａ６」および「Ｂ６」等ならびに「ＯＨＰ」および「封筒」等）が、対応禁則設定内容ＫＳ１として検出される。
【００５３】
また、検出部９３は、設定項目「コピーセキュリティ」に係る設定内容「コピープロテクト」との間で禁則関係を生じる別の設定項目（「用紙種類」、「印刷種類」）に係る設定内容を対応禁則設定内容ＫＳ２として検出する。換言すれば、検出部９３は、設定項目「コピーセキュリティ」とは異なる設定項目に係る設定内容であって当該設定項目「コピーセキュリティ」に関する設定内容「コピープロテクト」との間で禁則関係を生じる設定内容を、対応禁則設定内容ＫＳ２として検出する。すなわち、「コピーセキュリティ」の設定内容「コピープロテクト」に対する対応禁則設定内容ＫＳ２が検出される。
【００５４】
具体的には、検出部９３は、設定項目「コピーセキュリティ」に関する設定内容「コピープロテクト」に対する対応禁則設定内容ＫＳ２（ＫＳ２１）として、別の設定項目「用紙種類」に係る設定内容「ＯＨＰ」および「封筒」を検出する。また、検出部９３は、設定項目「コピーセキュリティ」に関する設定内容「コピープロテクト」に対する対応禁則設定内容ＫＳ２（ＫＳ２２）として、さらに別の設定項目「印刷種類」に係る設定内容「小冊子」を検出する。このように、固定化対象の設定内容「コピープロテクト」との間に禁則関係を生じる設定内容（「ＯＨＰ」、「封筒」および「小冊子」）が、対応禁則設定内容ＫＳ２として検出される。
【００５５】
この後、禁則確認用画面生成部９５は、ステップＳ１４で検出された２種類の対応禁則設定内容ＫＳ１（ＫＳ１１，ＫＳ１２），ＫＳ２（ＫＳ２１，ＫＳ２２）を表示する画面を、管理者ＳＵの禁則確認用画面ＧＢ（ＧＢ１）として生成し、当該禁則確認用画面ＧＢ１（図５参照）を表示部５６ｂに表示する（ステップＳ１５）。
【００５６】
図５に示すように、禁則確認用画面ＧＢは、２つの表示領域ＡＲ１，ＡＲ２を有する。一方の表示領域ＡＲ１は禁則確認用画面ＧＢの左側に配置され、他方の表示領域ＡＲ２は禁則確認用画面ＧＢの右側に配置される。
【００５７】
領域ＡＲ１内の最上部左側においては、「レイアウトタブ」における設定項目「印刷種類」を設定内容「両面」に固定化する固定化指示の内容が、固定化指示内容ＣＰ１として表示される。
【００５８】
また、固定化指示内容ＣＰ１の右方には、固定化に関するメッセージ（管理者ＳＵにより設定項目「印刷種類」が設定内容「両面」に固定化されている旨）の表示有無を選択するチェックボックスＣＢ１が設けられている。当該チェックボックスＣＢ１は、固定化に関する当該メッセージをプリンタドライバ画面ＧＣ内に表示するか否かに関するユーザ指示（選択指示）を受け付ける指示領域であるとも表現される。
【００５９】
このチェックボックスＣＢ１にチェックが入力されている場合、カスタマイズ後のプリンタドライバ画面（設定画面）ＧＣ１においては、図６に示すように、「レイアウトタブ」に係る設定項目「印刷種類」およびその設定内容「両面」の左方にインフォメーションのアイコンＣＮが表示される。さらに、当該アイコンＣＮにマウスカーソルＣＳを接近させるユーザ操作（設定内容「両面」に関連するユーザ操作）に応じて、固定化（利用制限）に関するメッセージを表示するメッセージボックスＭＢが「レイアウトタブ」に重畳表示される。詳細には、当該メッセージボックスＭＢは、カスタマイズ後のプリンタドライバ画面ＧＣ１内における設定内容「両面」の設定領域近傍（設定内容「両面」に関する設定領域の下側近傍）に表示される。また、このメッセージボックスＭＢには、「この設定は管理者により利用制限されています。」などの文言を含むメッセージが表示される。当該メッセージは、設定項目「印刷種類」の設定内容に関して管理者による利用制限がなされている（特定の設定内容（ここでは「両面」）以外の設定内容は利用できない）旨、換言すれば、管理者により設定項目「印刷種類」が特定の設定内容（ここでは「両面」）に固定化されている旨を示すものである。チェックボックスＣＢ１は、このようなメッセージの有無を設定する要素である。
【００６０】
逆に、チェックボックスＣＢ１にチェックが入力されていない場合（チェック無しの場合）には、カスタマイズ後のプリンタドライバ画面ＧＣにおいて、上記のようなアイコンＣＮおよびメッセージボックスＭＢはいずれも表示されない。
【００６１】
このように、固定化に関するメッセージを含むメッセージボックスＭＢの表示の有無が、チェックボックスＣＢ１を用いたユーザ指示に基づいて切り換えられる。これによれば、管理者ＳＵは、ユーザニーズおよび／または管理上の都合等に応じてメッセージボックスＭＢの表示の有無等を切り換えて、プリンタドライバをカスタマイズすることが可能である。
【００６２】
また、図５に示すように、領域ＡＲ１には、固定化指示内容ＣＰ１の下方に（詳細には固定化指示内容ＣＰ１の下側近接領域に）対応禁則設定内容ＫＳ１（ＫＳ１１，ＫＳ１２）が表示される。具体的には、対応禁則設定内容ＫＳ１１として、設定項目「原稿サイズ」に係る複数の設定内容「Ａ６」、「Ｂ６」、「封筒Ｂ５」、「封筒Ｃ５」、「封筒ＤＬ」、「はがき」、「４×６  Ｐｏｓｔｃａｒｄ」が表示される。また、対応禁則設定内容ＫＳ１２として、設定項目「用紙種類」に係る複数の設定内容「ＯＨＰ」、「封筒」、「片面専用紙」が表示される。このように、固定化指示内容ＣＰ１の固定化指示に伴って発生する対応禁則設定内容ＫＳ１（設定項目「印刷種類」の設定内容「両面」に対応する禁則設定内容）が、固定化指示内容ＣＰ１に関連付けて（対応付けて）表示される。
【００６３】
また、対応禁則設定内容ＫＳ１（ＫＳ１１，ＫＳ１２）の右方には、利用制限通知メッセージＭＳの表示の有無を受け付けるチェックボックスＣＸ１が設定内容毎に設けられている。ここにおいて、設定内容毎の当該利用制限通知メッセージＭＳは、対応禁則設定内容を利用可能にするための設定内容が管理者により利用制限されている旨を示すメッセージである。あるいは、当該利用制限通知メッセージＭＳは、「対象の設定内容（対象設定内容）と管理者ＳＵにより利用制限されている他の設定内容とが禁則関係にあることに起因して、当該対象設定内容が利用できない旨」を示すメッセージであるとも表現される。当該利用制限通知メッセージＭＳは、カスタマイズ後のプリンタドライバ画面ＧＣに対する操作時に表示され得る。ただし、当該利用制限通知メッセージＭＳの表示の有無は、上記のチェックボックスＣＸ１を用いた表示指示内容に応じて切り換えられる。なお、チェックボックスＣＸ１は、利用制限通知メッセージＭＳの表示の有無に関するユーザ指示（選択指示）を受け付ける指示領域であるとも表現される。
【００６４】
たとえば、対応禁則設定内容ＫＳ１１のそれぞれに対応する７つチェックボックスの全てにチェックが入力されている場合、カスタマイズ後のプリンタドライバ画面ＧＣ２においては、図７に示すように、設定項目「原稿サイズ」に関する複数の設定内容のうち対応禁則設定内容ＫＳ１１に該当する設定内容（「Ａ６」および「Ｂ６」等）の左方に感嘆符マーク（注意喚起マーク）ＭＫがそれぞれ表示される。なお、各感嘆符マークＭＫは、上記のチェックボックスＣＸ１に対するチェックの有無にかかわらず、カスタマイズ後のプリンタドライバ画面ＧＣ２において、対応禁則設定内容ＫＳ１１に対応する位置に表示される。
【００６５】
プリンタドライバ画面ＧＣ２において、感嘆符マークＭＫを有する複数の設定内容のうちのいずれかが選択されると、上記のチェックボックスＣＸ１を用いた表示指示内容に応じて２種類のメッセージ画面ＭＧ１，ＭＧ２のうちの一方が選択的に表示される。
【００６６】
具体的には、そのチェックボックスＣＸ１（図５）にチェックが付されていた設定内容（対応禁則設定内容）が選択されると、メッセージ画面ＭＧ１（図８参照）が表示される。一方、そのチェックボックスＣＸ１にチェックが付されていなかった設定内容（対応禁則設定内容）が選択されると、メッセージ画面ＭＧ２（図９参照）が表示される。
【００６７】
たとえば、図５に示すように設定内容「Ａ６」に対するチェックボックスＣＸ１（ＣＸ１１）にチェックが付されていた場合には、次の動作が実行される。具体的には、図７のプリンタドライバ画面ＧＣ２にて、設定項目「原稿サイズ」に関する複数の設定内容の中から設定内容「Ａ６」（対応禁則設定内容ＫＳ１１）が選択されると、図８に示すメッセージ画面ＭＧ１が表示部５６ｂに表示される。
【００６８】
図８に示すように、メッセージ画面ＭＧ１においては、利用制限通知メッセージＭＳが比較的下側に表示され、他のメッセージＭＴが比較的上側に表示される。
【００６９】
上側のメッセージＭＴは、「選択された項目（詳細には設定内容「Ａ６」）は、次の設定のときに利用可能です。印刷種類：片面」の文言を有している。このメッセージＭＴは、設定項目「印刷種類」における設定内容を変更すれば（具体的には、設定項目「印刷種類」を設定内容「片面」に変更すれば）、選択された項目（設定内容「Ａ６」）の利用が可能になる旨を示している。
【００７０】
また、下側の利用制限通知メッセージＭＳは、「尚、この設定（「印刷種類：片面」）は管理者により利用制限されています。制限解除の相談は管理者にお問い合わせください。」の文言を有している。当該利用制限通知メッセージＭＳは、管理者による利用制限により設定項目「印刷種類」を設定内容「片面」に設定できないこと、および当該制限解除については管理者に問い合わせればよいことを示すものである。そのため、そのような事情（具体的には、管理者の利用制限（固定化指示）に起因して現状では設定内容「片面」を利用することができないこと、設定内容「片面」の設定を可能にするため（ひいては設定内容（「Ａ６」）を利用するため）には管理者による利用制限の解除を要すること、および当該利用制限を解除するためには管理者へ問い合わせればよいこと等）を知らないユーザも当該事情を容易に知得することができる。
【００７１】
なお、この利用制限通知メッセージＭＳは、選択された設定内容（「Ａ６」）と固定化対象の設定内容（ここでは設定項目「印刷種類」に係る設定内容「両面」）とが禁則関係にあることに起因して、選択された設定内容（「Ａ６」）を利用することができない旨等を示すものであるとも表現される。また、この利用制限通知メッセージＭＳは、管理者による利用制限（固定化指示に基づく利用制限）に起因して対応禁則設定内容（「Ａ６」）が利用できない旨を示すメッセージであるとも表現される。
【００７２】
このような利用制限通知メッセージＭＳによれば、選択した設定内容（「Ａ６」）の利用ができないこと、ならびにそれが管理者による利用制限および当該利用制限に伴う禁則関係の発生に起因するものであることを、ユーザは容易に知得することができる。
【００７３】
したがって、プリンタドライバのユーザが設定内容（「Ａ６」）を利用することを希望する場合には、当該ユーザは、メッセージ画面ＭＧ１の内容に基づいて、管理者ＳＵに対して利用制限の解除を依頼することが可能である。
【００７４】
一方、設定内容「Ａ６」に対するチェックボックスＣＸ１（ＣＸ１１）（図５参照）にチェックが付されていなかった場合においては、次の動作が実行される。具体的には、図７のプリンタドライバ画面ＧＣ２にて、設定項目「原稿サイズ」に関する複数の設定内容の中から設定内容「Ａ６」（対応禁則設定内容ＫＳ１１）が選択されると、図９に示すようなメッセージ画面ＭＧ２が表示部５６ｂに表示される。このように、図５において利用制限通知メッセージの表示の有無を受け付ける設定内容毎に設けられたチェックボックスＣＸ１にチェックが入力されていない場合には、図９に示すようなメッセージ画面ＭＧ２が表示される。
【００７５】
このメッセージ画面ＭＧ２（図９）は、図８に示すメッセージ画面ＭＧ１から利用制限通知メッセージＭＳを除いたものである。当該メッセージ画面ＭＧ２は、２種類のメッセージＭＴ、ＭＳのうち上側のメッセージＭＴのみを有している。
【００７６】
このように、カスタマイズ後のプリンタドライバの設定画面ＧＣ１内にて対応禁則設定内容ＫＳ１が設定されようとする際における利用制限通知メッセージＭＳの表示の有無が、チェックボックスＣＸ１を用いたユーザ指示に基づいて切り換えられる。これによれば、管理者ＳＵは、ユーザニーズおよび／または管理上の都合等に応じて利用制限通知メッセージＭＳの表示の有無を切り換えてプリンタドライバをカスタマイズすることが可能である。
【００７７】
再び図５を参照する。図５に示すように、右側に配置された領域ＡＲ２も、左側に配置された領域ＡＲ１と同様の構成を有している。
【００７８】
具体的には、領域ＡＲ２内の最上部左側においては、「スタンプ／ページ印字タブ」における設定項目「コピーセキュリティ」を設定内容「コピープロテクト」に固定化する固定化指示の内容が、固定化指示内容ＣＰ２として表示される。
【００７９】
当該固定化指示内容ＣＰ２の右方には、固定化に関するメッセージをプリンタドライバ画面に表示するか否かを入力するチェックボックスＣＢ２が表示される。プリンタドライバ画面ＧＣ１においては、チェックボックスＣＢ２に対するチェックの有無に応じて、上記と同様のアイコンＣＮおよびメッセージボックスＭＢの表示の有無が切り換えられる。詳細には、「スタンプ／ページ印字タブ」における設定項目「コピーセキュリティ」の表示欄の近傍におけるアイコンＣＮの表示の有無、および当該アイコンＣＮに関するメッセージボックスＭＢの表示の有無が切り換えられる。
【００８０】
また、領域ＡＲ２には、固定化指示内容ＣＰ２の下方に対応禁則設定内容ＫＳ２（ＫＳ２１，ＫＳ２２）が表示される。具体的には、対応禁則設定内容ＫＳ２１として、設定項目「用紙種類」に係る複数の設定内容「ＯＨＰ」、「封筒」が表示され、対応禁則設定内容ＫＳ２２として、設定項目「印刷種類」に係る設定内容「小冊子」が表示される。このように、固定化指示内容ＣＰ２の固定化指示に伴って発生する対応禁則設定内容ＫＳ２（設定項目「コピーセキュリティ」の設定内容「コピープロテクト」に対応する禁則設定内容）が、固定化指示内容ＣＰ２に関連付けて（対応付けて）表示される。
【００８１】
また、対応禁則設定内容ＫＳ２（ＫＳ２１，ＫＳ２２）の右方には、利用制限通知メッセージの表示有無を受け付ける複数のチェックボックスＣＸ２が設定内容毎に設けられている。チェックボックスＣＸ２も、チェックボックスＣＸ１と同様に、利用制限通知メッセージＭＳの有無に関する設定を行うことができる。具体的には、カスタマイズ後のプリンタドライバ画面ＧＣ２において、感嘆符マークＭＫを有する設定内容が選択されると、当該設定内容に関するチェックボックスＣＸ２の有無（図５参照）に応じて、利用制限通知メッセージＭＳを有するメッセージ画面ＭＧ１（図８参照）と利用制限通知メッセージＭＳを有しないメッセージ画面ＭＧ２（図９参照）とのうちの一方が選択的に表示される。
【００８２】
以上のように、禁則確認用画面生成部９５は、対応禁則設定内容ＫＳ１，ＫＳ２を領域ＡＲ１，ＡＲ２に表示する画面を禁則確認用画面ＧＢ１として生成し、当該禁則確認用画面ＧＢ１（図５参照）を表示部５６ｂに表示する。詳細には、禁則確認用画面生成部９５は、対応禁則設定内容ＫＳ１と対応禁則設定内容ＫＳ２とを左右に並べて表示する画面を禁則確認用画面ＧＢ１として生成し、当該禁則確認用画面ＧＢ１を表示部５６ｂに表示する。
【００８３】
また、図５に示すように、禁則確認用画面ＧＢ１（詳細にはその左側最下段付近）には、対応禁則設定内容ＫＳ１と対応禁則設定内容ＫＳ２との「差分表示」の有無を選択するためのチェックボックスＣＢ３が設けられている。当該チェックボックスＣＢ３にチェックが入力された場合、図５に示すように、対応禁則設定内容ＫＳ１，ＫＳ２に共通の設定内容（共通設定内容）がそれぞれ砂地のハッチングで表示される一方、対応禁則設定内容ＫＳ１，ＫＳ２に固有の設定内容（固有設定内容）がそれぞれ斜線のハッチングで表示される。換言すれば、対応禁則設定内容ＫＳ１と対応禁則設定内容ＫＳ２との両者に係る複数の設定内容のうち、当該両者に共通する共通設定内容と当該両者に共通しない固有設定内容とが互いに異なる態様で表示される。
【００８４】
このように、禁則確認用画面生成部９５は、対応禁則設定内容ＫＳ１に固有の設定内容と対応禁則設定内容ＫＳ２に固有の設定内容とをそれぞれ斜線のハッチングで識別表示する画面を禁則確認用画面ＧＢ１として生成し、表示部５６ｂに表示する。逆に言えば、禁則確認用画面生成部９５は、対応禁則設定内容ＫＳ１，ＫＳ２に共通の設定内容を砂地のハッチングで識別表示する画面を禁則確認用画面ＧＢ１として生成し、表示部５６ｂに表示する。
【００８５】
以上の動作によれば、固定化指示に伴って発生する対応禁則設定内容ＫＳ（当該特定の設定内容に対応する禁則設定内容）が検出されて管理者ＳＵに提示される。具体的には、設定項目「印刷種類」を設定内容「両面」に固定化する固定化指示に伴って発生する禁則設定内容（「原稿サイズ」に係る「Ａ６」等）が、対応禁則設定内容ＫＳ１（当該設定内容「両面」に対応する禁則設定内容）として検出される。また、設定項目「コピーセキュリティ」を設定内容「コピープロテクト」に固定化する固定化指示に伴って発生する禁則設定内容が、対応禁則設定内容ＫＳ２（当該設定内容「コピープロテクト」に対応する禁則設定内容（「用紙種類」に係る「ＯＨＰ」等））として検出される。そして、当該対応禁則設定内容ＫＳ１，ＫＳ２を表示する禁則確認用画面ＧＢ（図５参照）が生成され、表示部５６ｂに表示されて管理者ＳＵに提示される。
【００８６】
そのため、プリンタドライバＰＤにおける特定の設定項目を特定の設定内容に固定化する固定化指示と当該固定化指示に伴う禁則設定の発生とに起因して当該プリンタドライバＰＤにおいて利用できなくなる設定内容を、当該プリンタドライバの使用前にも管理者ＳＵが把握することが可能である。
【００８７】
詳細には、設定項目「印刷種類」が設定内容「両面」に固定化されること及び当該固定化に伴う禁則設定の発生に起因してプリンタドライバＰＤにおいて利用できなくなる対応禁則設定内容ＫＳ１（別の設定項目「原稿サイズ」に係る設定内容「Ａ６」等）を当該プリンタドライバＰＤの使用前にも管理者ＳＵが把握し得る。
【００８８】
また、設定項目「コピーセキュリティ」が設定内容「コピープロテクト」に固定化されること及び当該固定化に伴う禁則設定の発生に起因してプリンタドライバＰＤにおいて利用できなくなる対応禁則設定内容ＫＳ２（別の設定項目「用紙種類」に係る設定内容「ＯＨＰ」等）を当該プリンタドライバＰＤの使用前にも管理者ＳＵが把握し得る。
【００８９】
また、対応禁則設定内容ＫＳ１（ＫＳ１１，ＫＳ１２）と対応禁則設定内容ＫＳ２（ＫＳ２１，ＫＳ２２）とを左右に並べて表示する画面が禁則確認用画面ＧＢ１（図５参照）として生成され、表示部５６ｂに表示される。そのため、管理者ＳＵは、対応禁則設定内容ＫＳ１と対応禁則設定内容ＫＳ２とを比較（対比）することが可能である。
【００９０】
また、対応禁則設定内容ＫＳ１と対応禁則設定内容ＫＳ２との両者に係る複数の設定内容のうち、当該両者に共通する共通設定内容と当該両者に共通しない固有設定内容とが互いに異なる態様で提示される。詳細には、対応禁則設定内容ＫＳ１，ＫＳ２の両者に共通する共通設定内容（「ＯＨＰ」、「封筒」）が砂地のハッチングで表示される。一方、対応禁則設定内容ＫＳ１に固有の設定内容（「Ａ６」、「Ｂ６」、「封筒Ｂ５」、「封筒Ｃ５」、「封筒ＤＬ」、「はがき」、「４×６  Ｐｏｓｔｃａｒｄ」、「片面専用紙」）と対応禁則設定内容ＫＳ２に固有の設定内容（「小冊子」）とが斜線のハッチングで表示される。そのため、管理者ＳＵは、対応禁則設定内容ＫＳ１，ＫＳ１に共通の設定内容と対応禁則設定内容ＫＳ１，ＫＳ２に固有の設定内容とを容易に区別して把握することが可能である。また、管理者ＳＵは、対応禁則設定内容ＫＳ１に固有の設定内容と対応禁則設定内容ＫＳ２に固有の設定内容とを容易に把握することも可能である。したがって、管理者ＳＵは、対応禁則設定内容ＫＳ１に固有の設定内容である「Ａ６」の利用を許可したい場合、（「コピーセキュリティ」の固定化を解除することなく、）「印刷種類」の固定化のみを解除すれば「Ａ６」の利用を許可できることを容易に把握し得る。また、管理者ＳＵは、対応禁則設定内容ＫＳ１，ＫＳ２に共通の設定内容である「ＯＨＰ」の利用を許可する場合、「印刷種類」の固定化と「コピーセキュリティ」の固定化との双方の解除を要することを容易に把握し得る。
【００９１】
また、禁則確認用画面ＧＢ１（図５参照）において、チェックボックスＣＢ１にチェックが付されると、プリンタドライバ画面ＧＣ１（図６参照）においては、「印刷種類」の左方にアイコンＣＮが表示され、当該アイコンＣＮにマウスカーソルＣＳが接近するとメッセージボックスＭＢが表示される。そのため、当該メッセージボックスＭＢを介して、「印刷種類」の固定化が管理者ＳＵにより意図的に行われていることをプリンタドライバＰＤのユーザに把握させることが可能である。そして、プリンタドライバＰＤのユーザは、「印刷種類」の固定化の解除要請等を管理者ＳＵに行うことが可能である。
【００９２】
また、禁則確認用画面ＧＢ１（図５参照）において、対応禁則設定内容ＫＳ１１に対応するチェックボックスＣＸ１にチェックが入力されている場合には、プリンタドライバ画面ＧＣ２（図７参照）において、メッセージ画面ＭＧ（図８参照）が表示される。詳細には、プリンタドライバ画面ＧＣ２において、感嘆符マークＭＫを有する設定内容（たとえば、「Ａ６」）が選択されると、利用制限通知メッセージＭＳを表示するメッセージ画面ＭＧ（図８参照）が表示される。そのため、管理者ＳＵにより意図的に固定されている設定内容「両面」との間で禁則の関係にある設定内容「Ａ６」が利用できないことを、メッセージ画面ＭＧを介してプリンタドライバＰＤのユーザに把握させることが可能である。これにより、プリンタドライバＰＤのユーザは、設定内容「Ａ６」の利用許可要請等を管理者ＳＵに行うことが可能である。
【００９３】
なお、図４に示すＧＵＩ固定化設定画面ＧＡにおいては、各タブ画面ＴＢを介して、実際の印刷装置１０では組み合わせることが不可能な２以上の固定化指示を受け付けることも可能である。すなわち、仮想的な２種類以上の固定化指示も受付可能である。
【００９４】
たとえば、印刷装置１０においては、設定項目「ステープル」を設定内容「左コーナー」に固定化するとともに、当該設定項目「ステープル」を設定内容「２点（左）」に固定化することは仕様上不可能である。すなわち、これら２種類の固定化処理は本来的には実現不可能である。
【００９５】
一方、ＧＵＩ固定化設定画面ＧＡの「仕上げタブ」（不図示）においては、設定項目「ステープル」に関する設定内容である「左コーナー」と「２点（左）」との双方のプルダウンメニューＰＭから「固定化する（グレーアウト）」が選択され得る。これにより、設定項目「ステープル」を設定内容「左コーナー」に固定化する固定化指示と設定項目「ステープル」を設定内容「２点（左）」に固定化する固定化指示との双方が受け付けられる。ここで、ＧＵＩ固定化設定画面ＧＡ内のボタンＢＮ３（図４参照）が押下されると、禁則確認用画面生成部９５は、図１０のような禁則確認用画面ＧＢ（ＧＢ２）を生成して表示部５６ｂに表示する。
【００９６】
図１０に示すように、禁則確認用画面ＧＢ２は、２つの表示領域ＡＲ３，ＡＲ４を有する。一方の表示領域ＡＲ３は禁則確認用画面ＧＢ２の左側に配置され、他方の表示領域ＡＲ４は禁則確認用画面ＧＢ２の右側に配置される。
【００９７】
領域ＡＲ３内の最上部左側においては、「仕上げタブ」における設定項目「ステープル」を設定内容「左コーナー」に固定化する固定化指示の内容が固定化指示内容ＣＰ３として表示される。当該固定化指示内容ＣＰ３の下方には、対応禁則設定内容ＫＳ３（原稿サイズに関する設定内容「Ａ６」、「Ｂ６」、「１２×１８」）が表示される。
【００９８】
また、領域ＡＲ２内の最上部左側においては、「仕上げタブ」における「ステープル」を「２点（左）」に固定化する固定化指示の内容が固定化指示内容ＣＰ４として表示される。当該固定化指示内容ＣＰ４の下方には、対応禁則設定内容ＫＳ４（原稿サイズに関する設定内容「Ａ３」、「Ａ６」、「Ｂ４」、「Ｂ６」、「１２×１８」等）が表示される。
【００９９】
このように、禁則確認用画面ＧＢ２においては、対応禁則設定内容ＫＳ３と対応禁則設定内容ＫＳ４とが左右に並べられた状態で表示される。そのため、管理者ＳＵは、対応禁則設定内容ＫＳ３と対応禁則設定内容ＫＳ４とを比較し、設定項目「ステープル」を設定内容「左コーナー」と設定内容「２点（左）」とのいずれに固定化することが好ましいか等を検討することが可能である。
【０１００】
換言すれば、上記のカスタマイズ用プログラムＰＧ１を用いることによれば、実際に組合せが可能な２種類の設定内容に関して、それぞれの対応禁則設定内容ＫＳを対比して表示させることが可能であるのみならず、実際には組合せが不可能な２種類の設定内容（たとえば、「左コーナー」と「２点（左）」）に関してもそれぞれの対応禁則設定内容ＫＳを対比して表示させることができる。
【０１０１】
ただし、本来的には組合せ不可能な２種類の固定化指示に基づくカスタマイズ処理は、確定されないことが好ましい。そのため、そのような２種類の固定化指示が仮想的に付与された状態で、画面ＧＡ（図４参照）内のボタンＢＮ１が押下されたとしても、固定化指示は確定されず、組み合わせ不可に関するエラーメッセージ等が表示されることが好ましい。たとえば、ＧＵＩ固定化設定画面ＧＡの「仕上げタブ」（不図示）において設定項目「ステープル」に関する設定内容「左コーナー」と設定内容「２点（左）」との双方のプルダウンメニューから「固定化する（グレーアウト）」が選択された状態でボタンＢＮ１が押下されたとする。このときには、固定化指示は確定されず、組み合わせ不可に関するエラーメッセージ等が表示されることが好ましい。
【０１０２】
＜３．変形例等＞
以上、この発明の実施の形態について説明したが、この発明は上記説明した内容のものに限定されるものではない。
【０１０３】
たとえば、上記実施形態においては、２つの設定項目（詳細には、「印刷種類」、「コピープロテクト」）に対して固定化指示が受け付けられる場合を例示したが、これに限定されず、単独の設定項目に対して固定化指示が受け付けられるようにしてもよい。あるいは、３つ以上の設定項目に対して固定化指示が受け付けられるようにしてもよい。
【０１０４】
また、上記実施形態では、禁則確認用画面ＧＢにおいて、対応禁則設定内容ＫＳ１，ＫＳ２が左右に並べられた状態で表示される場合を例示したが、これに限定されず、当該対応禁則設定内容ＫＳ１，ＫＳ２が上下に並べられた状態で表示されるようにしてもよい。
【０１０５】
また、上記実施形態では、禁則確認用画面ＧＢ内のチェックボックスＣＢ３にチェックが入力された場合、対応禁則設定内容ＫＳ１と対応禁則設定内容ＫＳ２とに共通の設定内容が砂地のハッチングで表示される一方、対応禁則設定内容ＫＳ１，ＫＳ２に固有の設定内容がそれぞれ斜線のハッチングで表示される場合を例示したが、これに限定されない。
【０１０６】
たとえば、禁則確認用画面ＧＢ内のチェックボックスＣＢ３にチェックが入力された場合、対応禁則設定内容ＫＳ１と対応禁則設定内容ＫＳ２とに共通の設定内容がピンクの背景色で表示される一方、対応禁則設定内容ＫＳ１，ＫＳ２に固有の設定内容がそれぞれイエローの背景色で表示される等、背景の色を異ならせて表示されるようにしてもよい。すなわち、共通の設定内容と固有の設定内容とが互いに異なる背景色で表示されるようにしてもよい。あるいは、共通の設定内容と固有の設定内容とが互いに異なる文字色で表示されるようにしてもよい。このように、共通の設定内容と固有の設定内容とが互いに異なる色（文字色および／または背景色等）で表示されるようにしてもよい。
【０１０７】
また、上記実施形態においては、カスタマイズ後の（最新の）プリンタドライバＰＤが管理者用コンピュータ５０から各クライアントコンピュータ３０に配布されてインストールされる場合を例示したが、これに限定されない。
【０１０８】
たとえば、カスタマイズ後の最新のプリンタドライバを管理者用コンピュータ５０にインストールしておき、当該管理者用コンピュータ５０内の最新のプリンタドライバを各クライアントコンピュータ３０がそれぞれの自装置にコピーする、いわゆるPoint & Printによってインストールされるようにしてもよい。
【０１０９】
また、複数のユーザに配布されるプリンタドライバは、複数のユーザに共通のカスタマイズ処理が施されたものであってもよいが、これに限定されない。たとえば、複数のユーザのそれぞれに向けて個別のカスタマイズ処理が施されたプリンタドライバが当該複数のユーザのそれぞれに配布されるようにしてもよい。すなわち、各ユーザに個別のカスタマイズ処理が施されたプリンタドライバが配布されるようにしてもよい。より詳細には、特定のユーザに対しては、その他の一般ユーザとは異なるカスタマイズ処理（固定化処理）が施されたプリンタドライバが配布されるようにしてもよい。たとえば、図５に示す対応禁則設定内容ＫＳ１１に該当する「Ａ６」の利用を要するユーザＵＡに対しては、設定内容「両面」に係る固定化と設定内容「コピープロテクト」に係る固定化とのうち、設定内容「両面」に係る固定化のみを解除したプリンタドライバが配布されるようにすればよい。また、対応禁則設定内容ＫＳ２２（図５）である「小冊子」の利用を要するユーザＵＢに対しては、設定内容「両面」に係る固定化と設定内容「コピープロテクト」に係る固定化とのうち、設定内容「コピープロテクト」に係る固定化のみを解除したプリンタドライバが配布されるようにすればよい。一方で、その他のユーザに対しては、設定内容「両面」に係る固定化と設定内容「コピープロテクト」に係る固定化との双方がなされたままのプリンタドライバが配布されるようにすればよい。これによれば、各ユーザの細かなニーズに対応することも可能である。
【０１１０】
また、上記実施形態においては、対応禁則設定内容ＫＳ１，ＫＳ２が禁則確認用画面ＧＢを介して管理者ＳＵに報知される場合を例示したが、これに限定されず、当該禁則設定内容ＫＳ１，ＫＳ２が管理者用コンピュータ５０に備えられた音声出力部からの音声によって管理者ＳＵに報知されるようにしてもよい。
【符号の説明】
【０１１１】
ＡＲ１〜ＡＲ４  表示領域
ＣＢ１〜ＣＢ３  チェックボックス
ＣＮ  アイコン
ＣＰ１〜ＣＰ４  固定化指示内容
ＣＳ  マウスカーソル
ＧＡ  固定化設定画面
ＧＢ  禁則確認用画面
ＧＣ  プリンタドライバ画面
ＫＳ  対応禁則設定内容
ＰＤ  プリンタドライバ
ＳＮ  設定内容
ＳＴ  設定項目
【図１】
2014021687.tif 000003
【図２】
2014021687.tif 000004
【図３】
2014021687.tif 000005
【図６】
2014021687.tif 000006
【図８】
2014021687.tif 000007
【図９】
2014021687.tif 000008
【図４】
2014021687.tif 000009
【図５】
2014021687.tif 000010
【図７】
2014021687.tif 000011
【図１０】
2014021687.tif 000012
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
プリンタドライバをカスタマイズするプログラムであって、
ａ）前記プリンタドライバにおける特定の設定項目を特定の設定内容に固定化する固定化指示を操作者による操作入力を介して受け付けるステップと、
ｂ）前記特定の設定項目とは異なる設定項目に係る設定内容であって前記特定の設定内容との間で禁則関係を生じる設定内容を、前記固定化指示に伴って発生する対応禁則設定内容として検出するステップと、
ｃ）前記ステップｂ）で検出された前記対応禁則設定内容を前記操作者に報知するステップと、
をコンピュータに実行させるためのプログラム。
【請求項２】
請求項１に記載のプログラムにおいて、
前記ステップａ）は、
ａ−１）前記プリンタドライバにおける第１の設定項目を第１の設定内容に固定化する第１の固定化指示と前記プリンタドライバにおける第２の設定項目を第２の設定内容に固定化する第２の固定化指示とを受け付けるステップ、
を有し、
前記ステップｂ）は、
ｂ−１）前記第１の設定項目とは異なる設定項目に係る設定内容であって、前記第１の設定内容との間で禁則関係を生じる設定内容を、第１の対応禁則設定内容として検出するステップと、
ｂ−２）前記第２の設定項目とは異なる設定項目に係る設定内容であって、前記第２の設定内容との間で禁則関係を生じる設定内容を、第２の対応禁則設定内容として検出するステップと、
を有し、
前記ステップｃ）は、
ｃ−１）前記第１の対応禁則設定内容と前記第２の対応禁則設定内容とを並べて表示する画面を、前記操作者に提示するステップ、
を有することを特徴とするプログラム。
【請求項３】
請求項２に記載のプログラムにおいて、
前記ステップｃ−１）において、前記第１の対応禁則設定内容と前記第２の対応禁則設定内容との両者に係る複数の設定内容のうち、前記両者に共通する共通設定内容と前記両者に共通しない固有設定内容とが互いに異なる態様で表示されることを特徴とするプログラム。
【請求項４】
請求項３に記載のプログラムにおいて、
前記ステップｃ−１）において、前記共通設定内容と前記固有設定内容とが互いに異なる色で表示されることを特徴とするプログラム。
【請求項５】
請求項１に記載のプログラムにおいて、
前記ステップｃ）は、前記ステップｂ）で検出された前記対応禁則設定内容を示す所定の画面を表示するステップ、
を有し、
前記所定の画面は、前記対応禁則設定内容と前記固定化指示の内容とを関連付けて表示する画面であることを特徴とするプログラム。
【請求項６】
請求項１に記載のプログラムにおいて、
前記ステップｃ）は、前記ステップｂ）で検出された前記対応禁則設定内容を示す所定の画面を表示するステップ、
を有し、
前記所定の画面は、カスタマイズ後の前記プリンタドライバの設定画面内に第１のメッセージを表示するか否かに関するユーザ指示を受け付ける第１の指示領域を有し、
前記第１のメッセージは、前記特定の設定項目の設定内容に関して管理者による利用制限がなされている旨を示すメッセージであることを特徴とするプログラム。
【請求項７】
請求項１に記載のプログラムにおいて、
前記ステップｃ）は、前記ステップｂ）で検出された前記対応禁則設定内容を示す所定の画面を表示するステップ、
を有し、
前記所定の画面は、カスタマイズ後の前記プリンタドライバの設定画面内にて前記対応禁則設定内容が設定されようとする際における第２のメッセージの表示の有無に関するユーザ指示を受け付ける第２の指示領域を有し、
前記第２のメッセージは、前記対応禁則設定内容を利用可能にするための設定内容が管理者により利用制限されている旨を示すメッセージであることを特徴とするプログラム。
【請求項８】
プリンタドライバをカスタマイズする情報処理装置であって、
前記プリンタドライバにおける特定の設定項目を特定の設定内容に固定化する固定化指示を操作者による操作入力を介して受け付ける受付手段と、
前記特定の設定項目とは異なる設定項目に係る設定内容であって前記特定の設定内容との間で禁則関係を生じる設定内容を、前記固定化指示に伴って発生する対応禁則設定内容として検出する検出手段と、
前記検出手段により検出された前記対応禁則設定内容を前記操作者に報知する報知手段と、
を備えることを特徴とする情報処理装置。
【請求項９】
請求項８に記載の情報処理装置において、
前記受付手段は、前記プリンタドライバにおける第１の設定項目を第１の設定内容に固定化する第１の固定化指示と前記プリンタドライバにおける第２の設定項目を第２の設定内容に固定化する第２の固定化指示とを受け付け、
前記検出手段は、
前記第１の設定項目とは異なる設定項目に係る設定内容であって、前記第１の設定内容との間で禁則関係を生じる設定内容を、第１の対応禁則設定内容として検出するとともに、
前記第２の設定項目とは異なる設定項目に係る設定内容であって、前記第２の設定内容との間で禁則関係を生じる設定内容を、第２の対応禁則設定内容として検出し、
前記報知手段は、前記第１の対応禁則設定内容と前記第２の対応禁則設定内容とを並べて表示する画面を、前記操作者に提示することを特徴とする情報処理装置。
【請求項１０】
請求項９に記載の情報処理装置において、
前記報知手段は、前記第１の対応禁則設定内容と前記第２の対応禁則設定内容との両者に係る複数の設定内容のうち、前記両者に共通する共通設定内容と前記両者に共通しない固有設定内容とを互いに異なる態様で表示する画面を、前記操作者に提示することを特徴とする情報処理装置。
【請求項１１】
請求項１０に記載の情報処理装置において、
前記共通設定内容と前記固有設定内容とは互いに異なる色で表示されることを特徴とする情報処理装置。
【請求項１２】
請求項８に記載の情報処理装置において、
前記報知手段は、前記検出手段によって検出された前記対応禁則設定内容を示す所定の画面を表示し、
前記所定の画面は、前記対応禁則設定内容と前記固定化指示の内容とを関連付けて表示する画面であることを特徴とする情報処理装置。
【請求項１３】
請求項８に記載の情報処理装置において、
前記報知手段は、前記検出手段によって検出された前記対応禁則設定内容を示す所定の画面を表示し、
前記所定の画面は、カスタマイズ後の前記プリンタドライバの設定画面内に第１のメッセージを表示するか否かに関するユーザ指示を受け付ける第１の指示領域を有し、
前記第１のメッセージは、前記特定の設定項目の設定内容に関して管理者による利用制限がなされている旨を示すメッセージであることを特徴とする情報処理装置。
【請求項１４】
請求項８に記載の情報処理装置において、
前記報知手段は、前記検出手段によって検出された前記対応禁則設定内容を示す所定の画面を表示し、
前記所定の画面は、カスタマイズ後の前記プリンタドライバの設定画面内にて前記対応禁則設定内容が設定されようとする際における第２のメッセージの表示の有無に関するユーザ指示を受け付ける第２の指示領域を有し、
前記第２のメッセージは、前記対応禁則設定内容を利用可能にするための設定内容が管理者により利用制限されている旨を示すメッセージであることを特徴とする情報処理装置。
【手続補正２】
【補正対象書類名】明細書
【補正対象項目名】００１５
【補正方法】変更
【補正の内容】
【００１５】
請求項６の発明は、請求項１の発明に係るプログラムにおいて、前記ステップｃ）は、前記ステップｂ）で検出された前記対応禁則設定内容を示す所定の画面を表示するステップ、を有し、前記所定の画面は、カスタマイズ後の前記プリンタドライバの設定画面内に第１のメッセージを表示するか否かに関するユーザ指示を受け付ける第１の指示領域を有し、前記第１のメッセージは、前記特定の設定項目の設定内容に関して管理者による利用制限がなされている旨を示すメッセージであることを特徴とする。
【手続補正３】
【補正対象書類名】明細書
【補正対象項目名】００１９
【補正方法】変更
【補正の内容】
【００１９】
請求項１０の発明は、請求項９の発明に係る情報処理装置において、前記報知手段は、前記第１の対応禁則設定内容と前記第２の対応禁則設定内容との両者に係る複数の設定内容のうち、前記両者に共通する共通設定内容と前記両者に共通しない固有設定内容とを互いに異なる態様で表示する画面を、前記操作者に提示することを特徴とする。
請求項１１の発明は、請求項１０の発明に係る情報処理装置において、前記共通設定内容と前記固有設定内容とは互いに異なる色で表示されることを特徴とする。
請求項１２の発明は、請求項８の発明に係る情報処理装置において、前記報知手段は、前記検出手段によって検出された前記対応禁則設定内容を示す所定の画面を表示し、前記所定の画面は、前記対応禁則設定内容と前記固定化指示の内容とを関連付けて表示する画面であることを特徴とする。
請求項１３の発明は、請求項８の発明に係る情報処理装置において、前記報知手段は、前記検出手段によって検出された前記対応禁則設定内容を示す所定の画面を表示し、前記所定の画面は、カスタマイズ後の前記プリンタドライバの設定画面内に第１のメッセージを表示するか否かに関するユーザ指示を受け付ける第１の指示領域を有し、前記第１のメッセージは、前記特定の設定項目の設定内容に関して管理者による利用制限がなされている旨を示すメッセージであることを特徴とする。
請求項１４の発明は、請求項８の発明に係る情報処理装置において、前記報知手段は、前記検出手段によって検出された前記対応禁則設定内容を示す所定の画面を表示し、前記所定の画面は、カスタマイズ後の前記プリンタドライバの設定画面内にて前記対応禁則設定内容が設定されようとする際における第２のメッセージの表示の有無に関するユーザ指示を受け付ける第２の指示領域を有し、前記第２のメッセージは、前記対応禁則設定内容を利用可能にするための設定内容が管理者により利用制限されている旨を示すメッセージであることを特徴とする。
【手続補正４】
【補正対象書類名】明細書
【補正対象項目名】００２０
【補正方法】変更
【補正の内容】
【００２０】
請求項１ないし請求項１４に記載の発明によれば、特定の設定項目を特定の設定内容に固定化する固定化指示に伴って発生する禁則設定内容であって当該特定の設定内容に対応する禁則設定内容である対応禁則設定内容が検出され操作者に報知される。したがって、プリンタドライバにおける特定の設定項目が特定の設定内容に固定されることに起因して当該プリンタドライバにおいて利用できなくなる設定内容を、プリンタドライバの使用前にも操作者が把握することが可能である。